(57)【要約】【課題】島設備に取り付けられる機枠に対して開放可能に前面枠を設け、該前面枠に対して遊技盤を着脱可能に装着するようにした遊技機において、遊技盤の後方側のスペースを確実に確保する。【解決手段】排出装置２０１から排出された遊技球を下方側に流下させる遊技球流路に、遊技機１００の左右の一方側に延在して遊技盤１の後方領域を迂回する迂回流路２４６を形成し、遊技盤１の後方側のスペースを広く空ける。これにより、大型の表示装置等を配設するスペースを確実に確保することができる。【選択図】図１
2007068647.tif 000002
【特許請求の範囲】
【請求項１】
島設備に取り付けられる機枠に対して開放可能に前面枠を設け、該前面枠に対して遊技盤を着脱可能に装着するようにした遊技機において、
前記前面枠の裏面側には、
外部から供給される遊技球を貯留する貯留タンクと、
前記貯留タンクからの遊技球を１個宛排出可能な排出装置と、
を備え、
前記排出装置から排出された遊技球を下方側に流下させる遊技球流路を備えて、該遊技球流路には、当該遊技機の左右の一方側に延在して前記遊技盤の後方領域を迂回する迂回流路を形成したことを特徴とする遊技機。
【請求項２】
前記迂回流路を、前記機枠の側辺の長手方向に沿って形成するとともに、前記前面枠の閉鎖時に、その上流側および下流側の遊技球流路の各々と連通させるようにしたことを特徴とする請求項１に記載の遊技機。
【請求項３】
前記機枠は、合成樹脂により形成するとともに、前記迂回流路を形成する金属製の流路構成部材を備えたことを特徴とする請求項２に記載の遊技機。
【請求項４】
前記遊技球流路における前記迂回流路の上流側で該迂回流路と接続される上流側接続部に、遊技球の流下を阻止可能な流下阻止部材を設け、前記前面枠の開放動作に応じて、該流下阻止部材を遊技球の流下状態から流下阻止状態に変換するようにしたことを特徴とする請求項２または請求項３に記載の遊技機。
【請求項５】
前記流下阻止部材が遊技球の流下を阻止する状態になったことを検出する検出手段と、
前記検出手段からの検出信号に基づき、前記排出装置を停止させる停止制御手段と、
を備えたことを特徴とする請求項４に記載の遊技機。
【請求項６】
前記迂回流路は、前記排出装置および貯留タンクを配設した裏機構枠の左右の一側縁部から外側に突出して形成され、
前記機枠は、前記前面枠の閉鎖時に前記迂回流路を収容するための凹部を形成したことを特徴とする請求項１に記載の遊技機。
【請求項７】
前記機枠の凹部を金属部材で覆うとともに、前記迂回流路を導電性部材で構成して、前面枠の閉鎖時に該金属部材と導電性部材を電気的に接続するように構成したこと特徴とする請求項６に記載の遊技機。
【発明の詳細な説明】
【技術分野】
【０００１】
本発明は、島設備に取り付けられる機枠に対して開放可能に前面枠を設け、該前面枠に対して遊技盤を着脱可能に装着するようにした遊技機に関する。
【背景技術】
【０００２】
従来の遊技機は、遊技領域を形成する遊技盤と該遊技盤を取り付ける前面枠（本体枠）と該前面枠を島設備に配設するための機枠とを備えている。そして、前面枠は機枠に対して回動可能に軸着されて片開き形式で開放可能に構成されている。また、前面枠には遊技盤を収納する収納部が形成され、該収納部に遊技領域が前面側に臨むように遊技盤が収納されている。遊技盤には電気機器（液晶表示装置など）が配設されていて電気機器は遊技盤に取り付けられた状態では後方側に突出するようになっている。近年では、遊技盤に配設される電気機器、特に液晶表示装置の大型化に伴い、遊技盤の後方側への突出量や突出範囲が大きくなっている。また、液晶表示装置を前面枠側に配設するようにした遊技機も考えられている。
【０００３】
一方、前面枠の裏面側には、島設備から供給される遊技球を一時的に貯留する貯留タンクが設けられている。該貯留タンクの下流側には導出樋が設けられ、貯留タンクに貯留された遊技球は導出樋を流下して整列されながら遊技機裏面の一側方部（前面枠の軸着側）に導かれるようになっている。前面枠の一側方部には垂直方向に球流路が形成されているが、この球流路の上流端部は前記導出樋の下流端部と接続されていて、導出樋を流下した遊技球は前面枠の側端部近辺で垂直方向に流下方向を変更することとなっている。そして前記球流路の途中には排出装置が設けられ、この排出装置により所定数ずつ遊技球が排出されるようになっている。
【０００４】
また、前記排出装置を、前記垂直方向の流路途中に設けるのではなく、貯留タンクに一体的に設けるようにした遊技機も考えられている（例えば、特許文献１参照）。
前記貯留タンクに排出装置を一体的に設けるようにした場合には、前面枠における一側方部には、排出装置が除かれるため単に球流路のみを設けるだけとなることから、その分遊技盤の後方側の空きスペースが大きくなり上記したような遊技盤の電気機器が大型した場合でも、本体枠の裏機構（排出装置や球流路など）と電気機器とが干渉することを防止できるといった効果がある。
【特許文献１】特開平８−１４１１７５号公報
【発明の開示】
【発明が解決しようとする課題】
【０００５】
しかしながら、球流路には遊技球を遊技者側に排出するための排出流路と、貯留タンクの遊技球を島設備に取り除くための球抜き流路とが設けられていることから、これらの球流路を遊技盤の後方側に配置してしまうと、やはり配置スペース的な問題が残ってしまう。
【０００６】
本発明の課題は、島設備に取り付けられる機枠に対して開放可能に前面枠を設け、該前面枠に対して遊技盤を着脱可能に装着するようにした遊技機において、遊技盤の後方側のスペースを確実に確保することである。
【課題を解決するための手段】
【０００７】
以上の課題を解決するため、請求項１に記載の発明は、島設備に取り付けられる機枠に対して開放可能に前面枠を設け、該前面枠に対して遊技盤を着脱可能に装着するようにした遊技機において、
前記前面枠の裏面側には、
外部から供給される遊技球を貯留する貯留タンクと、
前記貯留タンクからの遊技球を１個宛排出可能な排出装置と、
を備え、
前記排出装置から排出された遊技球を下方側に流下させる遊技球流路を備えて、該遊技球流路には、当該遊技機の左右の一方側に延在して前記遊技盤の後方領域を迂回する迂回流路を形成したことを特徴とする。
【０００８】
ここで、「迂回流路」は、遊技球流路の全てでも良いし、一部でも良い。
また、「迂回流路」は、前面枠に備えるものとしても良いし、機枠に備えるものとしても良い。
【０００９】
請求項１に記載の発明によれば、排出装置から排出された遊技球を下方側に流下させる遊技球流路に、当該遊技機の左右の一方側に延在して遊技盤の後方領域を迂回する迂回流路を形成したので、遊技盤の後方側のスペースを広く空けることができ、大型の表示装置等を配設するスペースを確実に確保することができる。
【００１０】
請求項２に記載の発明は、請求項１に記載の遊技機であって、前記迂回流路を、前記機枠の側辺の長手方向に沿って形成するとともに、前記前面枠の閉鎖時に、その上流側および下流側の遊技球流路の各々と連通させるようにしたことを特徴とする。
【００１１】
請求項２に記載の発明によれば、迂回流路を、機枠の側辺の長手方向に沿って形成するようにしたので、遊技盤の後方側を避けるように迂回範囲を大きくすることが可能となり、遊技盤の後方側に広いスペースを確保することが可能となる。また、上下方向に長い機枠の形状を利用して効率よく遊技球を流下させることが可能となる。
また、前面枠の閉鎖時に、その上流側および下流側の遊技球流路の各々と連通させるようにしたので、遊技球流路を連通させる操作を簡略化できるとともに、確実に遊技球流路を連通させることができる。
【００１２】
請求項３に記載の発明は、請求項２に記載の遊技機であって、前記機枠は、合成樹脂により形成するとともに、前記迂回流路を形成する金属製の流路構成部材を備えたことを特徴とする。
【００１３】
請求項３に記載の発明によれば、機枠を合成樹脂により形成することにより、簡単に遊技球流路に応じた形状を形成することができる。
また、金属製の流路構成部材を備えることにより、機枠を補強することができるし、この流路構成部材をアースするようにすれば、流下する遊技球からの静電気を効率よく逃がすことができる。
【００１４】
請求項４に記載の発明は、請求項２または請求項３に記載の遊技機であって、前記遊技球流路における前記迂回流路の上流側で該迂回流路と接続される上流側接続部に、遊技球の流下を阻止可能な流下阻止部材を設け、前記前面枠の開放動作に応じて、該流下阻止部材を遊技球の流下状態から流下阻止状態に変換するようにしたことを特徴とする。
【００１５】
請求項４に記載の発明によれば、遊技球流路における迂回流路の上流側で該迂回流路と接続される上流側接続部に、前面枠の開放動作に応じて、遊技球の流下状態から流下阻止状態に変換する流下阻止部材を設けたので、前面枠を開放して遊技球流路と迂回流路とが連通しない状態となった場合に、何ら操作することなく遊技球流路からの遊技球の流下を阻止することができ、遊技球流路から遊技球が外部へ落下してしまうことを防止できる。
【００１６】
請求項５に記載の発明は、請求項４に記載の遊技機であって、前記流下阻止部材が遊技球の流下を阻止する状態になったことを検出する検出手段と、
前記検出手段からの検出信号に基づき、前記排出装置を停止させる停止制御手段と、
を備えたことを特徴とする。
【００１７】
請求項５に記載の発明によれば、流下阻止部材が遊技球の流下を阻止する状態になったことを検出する検出手段と、検出手段からの検出信号に基づき排出装置を停止させる停止制御手段とを備えたので、確実に遊技球の排出を停止することができる。
すなわち、流下阻止部材が遊技球の流下を阻止する状態である場合に、無駄に排出装置が作動することを防止できる。
また、流下阻止部材が遊技球の流下を阻止する状態である場合は、遊技球流路が連通していない状態であって、意図せずに遊技球の流下阻止状態が解除された場合に、遊技球が外部に排出されてしまうことを防止できる。
さらに、遊技球の流下が阻止状態となっているにも拘わらず、排出装置によって遊技球が排出されることにより、例えば阻止された遊技球が貯まりすぎて、排出装置や流下阻止部材などに何らかの不具合が生じてしまうことを防止できる。
【００１８】
請求項６に記載の発明は、請求項１に記載の遊技機であって、前記迂回流路は、前記排出装置および貯留タンクを配設した裏機構枠の左右の一側縁部から外側に突出して形成され、
前記機枠は、前記前面枠の閉鎖時に前記迂回流路を収容するための凹部を形成したことを特徴とする。
【００１９】
請求項６に記載の発明によれば、迂回流路は、排出装置および貯留タンクを配設した裏機構枠の左右の一側縁部から外側に突出して形成され、機枠は、前面枠の閉鎖時に迂回流路を収容するための凹部を形成したので、遊技球流路と迂回流路を一体に形成でき、構成を簡略化できる。また、遊技球流路と迂回流路が常に連通した状態とすることができる。さらに、迂回範囲を大きくすることも可能となる。しかも前面枠の閉鎖に対しても支障がない。
【００２０】
請求項７に記載の発明は、請求項６に記載の遊技機であって、前記機枠の凹部を金属部材で覆うとともに、前記迂回流路を導電性部材で構成して、前面枠の閉鎖時に該金属部材と導電性部材を電気的に接続するように構成したこと特徴とする。
【００２１】
請求項７に記載の発明によれば、機枠の凹部を金属部材で覆うとともに迂回流路を導電性部材で構成して、前面枠の閉鎖時に該金属部材と導電性部材を電気的に接続するように構成したので、機枠の補強を行うことができるとともに、金属部材をアースすることで遊技球の静電気を除去することも可能となる。
【発明の効果】
【００２２】
本発明によれば、排出装置から排出された遊技球を下方側に流下させる遊技球流路に、当該遊技機の左右の一方側に延在して遊技盤の後方領域を迂回する迂回流路を形成したので、遊技盤の後方側のスペースを広く空けることができ、大型の表示装置等を配設するスペースを確実に確保することができる。
【発明を実施するための最良の形態】
【００２３】
以下、この発明の実施形態について図面を参照して説明する。
ここでは、本発明にかかる遊技機の適例としてのパチンコ遊技機について図１から図９を用いて説明を行う。
【００２４】
図１は機枠１１０を有する遊技機１００全体の背面側を示し、図２は機枠１１０から取り外された前面枠１２０を示した。図１に示すように、本実施形態の遊技機１００は、矩形枠状に構成された合成樹脂製の機枠１１０を備え、この機枠１１０の裏面側から見て右側の側部には、該機枠１１０に対して前方向へ扉状に回動可能に矩形枠状の前面枠１２０が軸着されている。そして、この機枠１１０の裏面側から見て右側の側部には、遊技球を流下させる迂回流路２４６が設けられている。この迂回流路２４６については後に詳しく説明する。
【００２５】
また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示枠ユニット１７０を備える裏機構枠１６０とを有する。
【００２６】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００２７】
また、前面枠本体１３０の遊技盤１が嵌め込まれた開口部、すなわち、前面枠本体１３０の中央より少し下側から上端部にわたる部分には、前面枠本体１３０の前側を覆うように前記クリア部材保持枠１４０が配置されており、遊技盤１の前面と前記クリア部材保持枠１４０に嵌め込まれたクリア部材としてのガラス板との間で、遊技盤１の前面に設けられたガイドレール（図示略）に囲まれた部分が、遊技球が発射されて流下する遊技領域（図示略）とされている。
【００２８】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域の前側を開放可能となっている。
クリア部材保持枠１４０には、前面枠本体１３０の開口部をほぼ閉塞するように、該開口部に嵌め込まれた遊技盤１との間に遊技球が流下可能な遊技領域となる間隔を開けて二重のガラス板が固定されている。そして、クリア部材保持枠１４０において、遊技機１００の前側からガラス板を介して遊技盤１の前面側の少なくとも遊技領域の部分が視認可能となっている。また、クリア部材保持枠１４０の前面であって、ガラス板が固定されて遊技領域を視認可能とする部分の周囲には、枠装飾装置５７（図９に図示）としてのランプやＬＥＤなどが設けられている。
【００２９】
また、前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネルとその下の下部パネルとからなる。開閉パネルは、排出された遊技球を貯留するとともに、遊技球を発射する発射装置６０（図９に図示）に遊技球を送る上皿を有している。この上皿の周囲には、遊技者が操作可能な演出用ボタン５９（図９に図示）が設けられている。また、開閉パネルの下側の下部パネルには、上皿に収容しきれない遊技球を収容する下皿及び灰皿と、遊技領域に向けての遊技球の発射操作を行うとともに、該遊技領域に遊技球を発射する際の発射勢を調節するための操作ハンドル１５１、音声を出力するスピーカ５８（図９に図示）などが設けられている。
【００３０】
また、前面枠本体１３０の裏面側であって、遊技盤１が嵌め込まれた開口部の上端部から中央より少し下側にわたる部分には、前面枠本体１３０の裏面側を覆うように裏機構枠１６０が配置されている。
図２に示すように、裏機構枠１６０の前面の左側の端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。
【００３１】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００３２】
図２に示すように、前面枠本体１３０の開口部に嵌め込まれる遊技盤１は、木製の遊技盤本体１０の図示しない前面に、略円形に配されたガイドレールで囲まれた遊技領域を有し、この遊技領域内に遊技球（打球；遊技媒体）を発射して遊技を行うようになっている。
遊技領域内には、図示しないが、普図始動ゲート、この普図始動ゲートを遊技球が通過して普図変動表示ゲームが未処理となっている未処理回数を表示する普図始動記憶表示器、普通図柄の変動表示ゲームを表示する普図変動表示器が設けられている。また、普通変動入賞装置と、この普通変動入賞装置に遊技球が入賞して特図変動表示ゲームが未処理となっている未処理回数を点灯表示する特図始動記憶表示器、特別図柄（特図、識別情報）の変動表示ゲームの表示領域となる表示用窓部１２を形成するセンターケース１１（裏面側を図２に図示）、特別変動入賞装置、遊技盤装飾装置５４（図９に図示）、一般入賞口、風車と呼ばれる打球方向変換部材、多数の障害釘などが設けられている。
【００３３】
普図始動ゲート内には、該普図始動ゲートを通過した遊技球を検出するためのゲートセンサが設けられている。そして、遊技領域内に打ち込まれた遊技球が、普図始動ゲート内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、特図の変動表示ゲームの表示領域の一部で普図変動表示ゲームを表示するようにしても良い。この普図の変動表示ゲームの結果、普図変動表示器における停止表示が特別の結果態様となれば、普図の当たりとなって、普通変動入賞装置の開閉部材が所定時間（例えば、０.５秒間）後述のように開放される。これにより、普通変動入賞装置に遊技球が入賞しやすくなり、特図の変動表示ゲームの始動が容易となる。
【００３４】
普通変動入賞装置は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置に遊技球が流入し易い状態（遊技者にとって有利な状態）に変化されるようになっている。
この普通変動入賞装置は、特図の始動入賞口も兼ねている。すなわち、普通変動入賞装置の内部（入賞領域）に備えられた始動口センサ５０（図９に図示）により遊技球を検出することに基づき始動条件が成立し、特図の変動表示ゲームが開始されるようになっている。
【００３５】
図２に示すように、遊技盤１（遊技領域）の略中央部には、特図の変動表示ゲームの表示領域となる矩形状の表示用窓部１２を形成するセンターケース１１が取り付けられている。
センターケース１１は、断面が複雑な曲線となった筒状の部材であって、筒状の空間が延在する方向が遊技盤１の前後方向に沿うように、遊技盤本体１０の略中央部に形成された開口部１４に挿入された状態で取り付けられている。なお、開口部１４は、断面が複雑な曲線となったセンターケース１１の断面形状に合わせて形成されている。
【００３６】
センターケース１１の前端面には装飾が施されているとともに、遊技盤装飾装置５４としての盤装飾ランプが設けられている。また、センターケース１１の内周面のうち下側となる部分は、遊技球が転動可能なステージとなっている。センターケース１１の後部は、遊技盤本体１０の裏面よりも後方に突出しており、その後端部１６には、後述する裏機構枠１６０に取り付けられた表示枠ユニット１７０の前面が接するように配される。これによって、筒状のセンターケース１１の開口部である表示用窓部１２を介して、表示枠ユニット１７０の画像表示面１７１（図４に図示）の表示を遊技盤１の前面側から見ることができるようになっている。なお、後述するように画像表示面１７１の面積は表示用窓部１２の面積よりも十分広くなっており、画像表示面１７１上の表示は表示用窓部１２が配された領域のみで行われるように制御されている。
【００３７】
そして、遊技領域内に打ち込まれた遊技球が特図の始動口を兼ねる普通変動入賞装置へ進入して始動条件が成立することに基づき、画像表示面１７１にて複数種類の識別情報（例えば、数字、記号、キャラクタ図柄など）を変動表示させる特別図柄の変動表示ゲームを実行可能となっている。なお、特図の変動表示ゲームは、画像表示面１７１において、複数種類の識別情報を所定時間変動表示させることにより行う。
そして、この特図の変動表示ゲームの結果として、画像表示面１７１の表示態様が特別結果態様（例えば、「７，７，７」等のゾロ目数字の何れか）となった場合には、大当たりとなって特別遊技状態（いわゆる、大当たり状態）となる。
【００３８】
特別変動入賞装置は、上端側が手前側に倒れる方向に回動して開放可能になっているアタッカ形式の開閉扉によって開閉される大入賞口を備えていて、特別遊技状態中は、大入賞口を閉じた状態から開いた状態に変換することにより大入賞口内への遊技球の流入を容易にさせる。なお、開閉扉は、ソレノイド（大入賞口ＳＯＬ５３、図９に図示）により駆動される。また、大入賞口の内部（入賞領域）には、該大入賞口に入った遊技球を検出するための大入賞口用センサ（カウントセンサ５１、図９に図示）が配設されている。
【００３９】
また、遊技領域に設けられた各一般入賞口には、一般入賞口に入った遊技球を検出するための一般入賞口センサ５２（図９に図示）が配設されている。そして、遊技を開始することにより遊技領域内に打ち込まれた遊技球が、一般入賞口、始動入賞口（普通変動入賞装置）、大入賞口（特別変動入賞装置）等の入賞口の何れかに入賞すると、それぞれの入賞口に対応した所定数の賞球としての遊技球が後述の排出発射制御装置３４（排出発射制御基板）の制御により排出装置２０１によって上皿に排出される（払い出される）ようになっている。
【００４０】
遊技盤１の裏面側であって、センターケース１１の下側には、普通変動入賞装置、大入賞口、一般入賞口などに入賞した遊技球を流下させる入賞球流路や、中継基板などを備えた裏面構成部材４０が取り付けられている。
また、この裏面構成部材４０には、その裏面側に演出データ装置３２を取り付けるためのボス等が形成されており、演出データ装置３２などを遊技盤１の裏面に取り付けるためのベースとしての機能も有する。
【００４１】
また、図１，２，９に示すように、遊技機１００は、その制御系として遊技の進行を制御する遊技制御装置３０（主制御基板、主制御回路）、この遊技制御装置３０の制御下で各種の演出に関する制御を行う演出データ装置３２（演出ＲＯＭ基板、第１制御回路）、演出制御装置３３（演出制御基板、第２制御回路）、排出装置２０１による賞球または貸球の払い出しの制御と、発射装置６０による遊技球の発射の制御を行う排出発射制御装置３４（排出発射制御基板、排出発射制御回路）、電力を供給する電源供給装置３７（電源基板、電源回路）を備えている。
【００４２】
遊技制御装置３０は、図９に示すようにＣＰＵ３０ｂ、ＲＡＭ３０ｃ、ＲＯＭ３０ｄ等を有する遊技用マイクロコンピュータを備えるとともに、図示しない入出力インタフェース、各種処理の同期やタイマ等のためのパルス信号を出力するクロック（発振器）等により構成されている。
ＣＰＵ３０ｂは、制御部、演算部を備え、演算制御を行う他、特図変動表示ゲームの大当たり判定用乱数値などの各種乱数値なども生成している。
ＲＡＭ３０ｃは、普通変動入賞装置内に設けられた始動口センサ５０のオン信号などを記憶する記憶領域や、前記各種乱数値の記憶領域、並びに、ＣＰＵ３０ｂの作業領域等を備えている。
ＲＯＭ３０ｄには、遊技上の制御プログラムや制御データが書き込まれている他、上述の各種乱数値に対応して、特図の変動表示ゲームの大当り発生を判定するための、特図の変動表示ゲームの大当り判定値、変動パターン（リーチアクションの種類）の判定値などが記憶されている。
【００４３】
また、入出力インタフェースには、ローパスフィルタ及びバッファーゲートを介して、普通変動入賞装置の始動口センサ５０、大入賞口のカウントセンサ５１、一般入賞口の一般入賞口センサ５２などが接続されており、これらからの各種信号が入力され、これら各種信号は、該入出力インタフェースにより中継されて、ＣＰＵ３０ｂに対し出力される。
さらに、入出力インタフェースには、ＣＰＵ３０ｂから出力される各種の制御信号が入力され、これら制御信号は、該入出力インタフェースにより中継されて、図示しない出力ポート及びドライバを介して、普通変動入賞装置や特別変動入賞装置の駆動手段としての各種開閉ソレノイド（例えば、大入賞口ＳＯＬ５３）、演出制御装置３３、賞球の排出や遊技球の発射を制御する排出発射制御装置３４などに出力されている。
【００４４】
演出データ装置３２は、演出の制御内容を記憶した制御ＲＯＭ３２ｃ、画像や映像データが記憶されたキャラクタＲＯＭ３２ｂ、音データが記憶された音声データＲＯＭ３２ｄを備えている。なお、この演出データ装置３２に備えられた各種ＲＯＭの記憶内容は、遊技機の機種に依存するものである。
また、演出データ装置３２は、遊技制御装置３０から出力される制御信号（各種コマンドなど）を中継して演出制御装置３３に送信するようになっている。なお、遊技制御装置３０と演出制御装置３３との間の通信において、演出データ装置３２は単に信号を通過させるのみ（スルー接続）となっている。
さらに、演出データ装置３２は、盤装飾ランプ・ＬＥＤ、装飾用役物（ソレノイド）などの遊技盤装飾装置５４を駆動する盤装飾ドライバ３２ｅを備えており、演出制御装置３３が遊技制御装置３０から受信した制御信号（演出コマンド）に基づいて（遊技制御装置３０の制御の下に）この盤装飾ドライバ３２ｅを制御し、盤装飾を行うようになっている。
【００４５】
また、この演出データ装置３２と直接接続された演出制御装置３３は、制御装置としてのＣＰＵ３３ｂ、ＲＡＭ３３ｃや、表示ユニット１７３（液晶表示パネル１７５）における表示を制御する画像用メモリとしてのＲＡＭや、グラフィックプロセッサとしてのＶＤＰ３３ｄ（video display processor）、画像や映像データが記憶されたサブ画像ＲＯＭ３３ｅなどを含むビデオ回路、音の出力を制御する音声ＬＳＩ３３ｆ、音量を調節する音声ボリューム３３ｇを備えている。
また、前面枠１２０に設けられたランプ、ＬＥＤなどの前面枠１２０を装飾する枠装飾装置５７を駆動する枠装飾ドライバ３３ｈを備えている。さらに、表示ユニット１７３の液晶表示パネル１７５における表示状態を調節するための、輝度調節器３３ｉ、コントラスト調節器３３ｊ、表示位置調節器３３ｋが備えられている。
【００４６】
演出制御装置３３は図示しない入出力インタフェースを有し、この入出力インタフェースにはローパスフィルタ及びバッファーゲートを介して、遊技制御装置３０、演出データ装置３２、遊技機の前面（例えば、上皿の周囲）に設けられた遊技者が操作可能な演出用ボタン５９などが接続されており、これらからの各種信号が入力され、これら各種信号は、該入出力インタフェースにより中継されて、ＣＰＵ３３ｂに対し出力される。
さらに、入出力インタフェースには、ＣＰＵ３３ｂから出力される各種の制御信号が入力され、これら制御信号は、該入出力インタフェースにより中継されて、図示しない出力ポート及びドライバを介して、演出データ装置３２、液晶表示パネル１７５のバックライト５６、枠装飾装置５７（枠装飾ドライバ３３ｈを介して）などに出力されている。なお、ＣＰＵ３３ｂから出力される制御信号のうち、画像の制御に関する制御信号は、ＣＰＵ３３ｂからＶＤＰ３３ｄに出力され、ＶＤＰ３３ｄから該制御信号に基づく画像データが液晶表示器５５に出力される。また、音声の制御に関する制御信号は、ＣＰＵ３３ｂから音声ＬＳＩ３３ｆに出力され、音声ＬＳＩ３３ｆから該制御信号に基づく音声データがスピーカ５８に出力される。
【００４７】
そして、演出制御装置３３は、遊技制御装置３０から演出データ装置３２を介して受信した制御信号（演出コマンド）に基づいて（遊技制御装置３０の制御の下に）、枠装飾装置５７による枠装飾の制御、表示ユニット１７３に備えられる液晶表示パネル１７５（液晶表示器５５、バックライト５６）の制御、スピーカ５８による音の出力の制御を行う。さらに、遊技制御装置３０から演出データ装置３２を介して受信した制御信号（演出コマンド）に基づいて（遊技制御装置３０の制御の下に）演出データ装置３２に備えられた盤装飾ドライバ３２ｅを介して遊技盤装飾装置５４の制御を行う。
【００４８】
排出発射制御装置３４は、ＣＰＵ、ＲＡＭ、ＲＯＭ等を有するマイクロコンピュータを有する。また、排出発射制御装置３４は、図示しない入出力インタフェースを有し、この入出力インタフェースにはローパスフィルタ及びバッファーゲートを介して、遊技制御装置３０、球貸機（図示略）、発射装置６０、排出装置２０１、後述する流下阻止部材２５３の状態を検出する検出手段としての流路センサ２５７が接続されている。そして、遊技制御装置３０からの制御信号（賞球コマンド）や、球貸機（図示略）からの制御信号（球貸しコマンド）に基づいて所要数の遊技球（賞球、貸球）を排出装置２０１から排出させる制御を行う。また、発射装置６０による遊技球の発射制御を行う。また、後述するように、流路センサ２５７からの検出信号に基づき排出装置２０１の動作を停止する（不能動化する）制御および停止を解除する制御を行う。
【００４９】
そして、上述の各制御基板や、遊技機１００に備えられた各装置には、電源供給装置３７（電源回路、電源基板）から電力が供給されるようになっている。なお、演出データ装置３２への電源供給は演出制御装置３３を介して行われるようになっている。
【００５０】
これらの制御回路においては、例えば以下のような制御が行われる。
遊技制御装置３０のＣＰＵ３０ｂでは、普通変動入賞装置に備えられた始動口センサ５０からの遊技球の検出信号の入力に基づき、特図の大当たり判定用乱数値を抽出してＲＯＭ３０ｄに記憶されている判定値と比較し、特図の変動表示ゲームの当たり外れを判定する処理を行う。また、この他に変動パターンの判定を行う処理などを行い、これらの結果を含む制御信号を、演出データ装置３２を介して演出制御装置３３に出力する。演出制御装置３３とこれに接続した演出データ装置３２では、遊技制御装置３０からの制御信号に基づき、表示ユニット１７３の液晶表示パネル１７５で特図の変動表示ゲームを表示する処理や、スピーカ５８からの音の出力、ランプ、ＬＥＤ、装飾用役物などの遊技盤装飾装置５４を制御する処理、ランプ、ＬＥＤなどの枠装飾装置５７を制御する処理を行う。そして、遊技制御装置３０のＣＰＵ３０ｂは、特図の変動表示ゲームが大当たりであった場合に、特別遊技状態を発生し、大入賞口ＳＯＬ５３により特別変動入賞装置を動作する制御を行う。
【００５１】
また、遊技制御装置３０のＣＰＵ３０ｂは、普図始動ゲートに設けられたゲートセンサからの遊技球の検出信号の入力に基づき、上述と同様に普図の変動表示ゲームの当たり外れを判定するとともに演出データ装置３２を介して演出制御装置３３に制御信号を出力し、普図変動表示器に普図変動表示ゲームを表示させる。そして、遊技制御装置３０のＣＰＵ３０ｂは、普図の変動表示ゲームが当たりであった場合に、普通変動入賞装置を動作する制御を行う。
【００５２】
また、遊技制御装置３０のＣＰＵ３０ｂは、各種入賞口に設けられたセンサ（始動口センサ５０、カウントセンサ５１、一般入賞口センサ５２）から入力される遊技球の検出信号に基づき排出発射制御装置３４に制御信号を出力する。排出発射制御装置３４は、制御信号の入力に基づき排出装置２０１を制御して所定数の遊技球が払い出されるようにする。また、排出発射制御装置３４は、操作ハンドル１５１の操作に基づく入力および操作ハンドル１５１に設けられた図示しないタッチセンサからの入力に基づき、発射装置６０を制御して遊技球が遊技領域に発射されるようにする。
すなわち、以上のことから主制御回路をなす遊技制御装置３０は、遊技の進行を制御する遊技制御装置をなし、第１制御回路をなす演出データ装置３２と第２制御回路をなす演出制御装置３３とが遊技機１００における種々の演出を制御する演出制御装置をなす。
【００５３】
そして、これらの各基板は以下のように遊技機に取り付けられている。
図２に示すように、画像表示面１７１における表示データなど、機種に依存するデータが記憶された演出データ装置３２は、ボックス３２ａに収納された状態で、遊技盤１の裏面側下方部に設けられた裏面構成部材４０の裏面側であって、後述する裏機構枠１６０の下縁からその下側に取り付けられている。このボックス３２ａの裏面側には、演出制御装置３３と接続するためのコネクタ部３２ｆ、遊技制御装置３０と接続するため（遊技制御装置３０と演出制御装置３３との間の中継のため）のコネクタ部（図示略）、遊技盤装飾装置５４と接続するためのコネクタ部（図示略）が設けられている。さらに、ボックス３２ａの裏面側には、ボックス３０ａに収納された遊技を制御する遊技制御装置３０が取り付けられるようになっている。すなわち、ボックス３２ａの裏面は遊技制御装置３０を取り付けるための台座をなす。また、ボックス３２ａに隣設して、遊技機外部の装置（管理装置）と接続するための盤用外部出力端子２０６が設けられている。
【００５４】
また、図１，２に示すように、複数の機種で共通使用可能な演出制御装置３３は、ボックス３３ａに収納された状態で前面枠本体１３０の裏面側に取り付けられた後述の裏機構枠１６０に取り付けられている。なお、ボックス３３ａの前側の下部には、コネクタ部３３ｍが、裏機構枠１６０の下縁から下方に突出するように設けられ、演出データ装置３２のコネクタ部３２ｆと接続することが可能となっており、これによって両者が直接接続されるようになっている。
【００５５】
また、排出装置２０１による賞球の排出、発射装置６０による遊技球の発射を制御する排出発射制御装置３４、遊技機１００内の各装置に電力を供給する電源回路としての電源供給装置３７は、それぞれボックス３４ａ、３７ａに収納された状態で、前面枠本体１３０の裏面側の遊技盤１より下側となる位置に取り付けられている。
【００５６】
すなわち、機種に依存する演出データ装置３２、遊技制御装置３０は遊技盤１に取り付けられ、複数の機種で共通使用可能な演出制御装置３３や排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５７】
図１から３に示すように、裏機構枠１６０は、本体部１６１と、画像を表示する表示ユニット１７３を備える表示枠ユニット１７０を支持、案内するためのガイド部１６２とを有し、表示枠ユニット１７０の他、表示枠ユニット１７０を制御する演出制御装置３３、賞球などを排出する排出装置２０１と排出装置２０１に遊技球を供給する貯留タンク２２０を一体的に備えたタンク排出装置２００が設けられている。
【００５８】
上述したように、裏機構枠１６０の前から見て左側の端部は、前面枠本体１３０の裏面であって遊技機１００の裏面側から見て右側の側部に回動可能に軸支されており、図１に示すように、前面枠本体１３０に形成されて遊技盤１が嵌め込まれる開口部の上側略半分を裏面側から覆って遊技盤１の裏面に臨む状態から、図２に示すように、後方に扉状に回動して遊技盤１の裏面側を開放する状態との間で回動可能となっている。すなわち、裏機構枠１６０に表示ユニット１７３が配設されることで、表示ユニット１７３は該裏機構枠１６０を介して前面枠１２０側に配設された状態で遊技盤１の後方位置に配設されることとなる。なお、裏機構枠１６０が、遊技盤１が嵌め込まれる開口部の上側略半分を裏面側から覆った状態においては、遊技盤裏面における演出データ装置３２が配設される部位を除く遊技盤裏面側の上方部を覆うようになっている。
【００５９】
図３に示すように、本体部１６１は、所定の厚みを有する背面壁２６３と、背面壁２６３の下側を除く周囲に前方に延出するように形成された周囲壁１６７とを有し、これら背面壁２６３と周囲壁１６７とから、裏機構枠１６０が遊技盤１の裏面に臨む状態において、前面側（遊技盤１の裏面に臨む側）に開口する矩形箱状の凹部である表示枠ユニット配設部１６３が形成されている。
【００６０】
さらに、背面壁２６３の左右に位置する周囲壁１６７の前側には、それぞれガイド部１６２が、左右の周囲壁１６７を前側に延長するように取り付けられている。そして、ガイド部１６２を本体部１６１に取り付けた状態では、図３に示すように、ガイド部１６２の内周面が周囲壁１６７の内周面のうちの主に左右の内周面と略同一面を形成するようになっており、ガイド部１６２によって周囲壁１６７の内周面の一部が前側に延出された状態となっている。この背面壁２６３と周囲壁１６７およびガイド部１６２で形成される、所定の奥行きを有するとともに前側に開口した矩形凹室形状の空間（少なくとも背面と左右側面とを囲まれた空間）が、表示枠ユニット１７０を収納する表示枠ユニット収納部１６８となる。すなわち裏機構枠１６０は、前面側に凹室形状の表示枠ユニット収納部１６８を形成するように、後方側に膨出状に構成されている。
また、図２に示すように、裏機構枠１６０の前面側から見て左側に設けられたガイド部１６２には、軸受け部１６２ａが形成されており、前面枠本体１３０の裏面側に設けられた上下方向に延在する回動軸１３１を軸受け部１６２ａに回動可能に嵌合することで、裏機構枠１６０が前面枠本体１３０に対して回動可能に軸支されるようになっている。
【００６１】
図１に示すように、裏機構枠１６０の裏面となる背面壁２６３の裏面の下部には、前方に窪んで後方に開口した略矩形状の凹部である演出制御装置配設部１６５が形成され、演出制御装置３３を収容したボックス３３ａが配設されている。
演出制御装置配設部１６５の裏面側から見て右側の内側面には、本体部１６１の上下方向に沿って延在する回動軸（図示略）が設けられており、この回動軸によって演出制御装置３３を収納したボックス３３ａが演出制御装置配設部１６５に対して扉状に開閉可能に支持されている。なお、ボックス３３ａは、演出制御装置配設部１６５に収容された状態から、本体部１６１の後方へ回動可能となっている。
【００６２】
また、背面壁２６３の裏面であって、演出制御装置配設部１６５が形成された部分には、演出制御装置配設部１６５の前面側に形成された表示枠ユニット収納部１６８に連通する配線用開口（図示略）が形成されており、この配線用開口を通して液晶表示パネル１７５（液晶表示器５５、バックライト５６）と演出制御装置３３とが配線によって接続されるようになっている。
【００６３】
演出制御装置３３を収容したボックス３３ａの上下幅は、演出制御装置配設部１６５の上下幅よりも広く、演出制御装置配設部１６５にこのボックス３３ａを収容すると、ボックス３３ａの下部が演出制御装置配設部１６５の下方に延出するようになっている。そして、図２に示すように、ボックス３３ａの前面側であって本体部の下縁の下方に延出する部分からは、演出制御装置３３に設けられたコネクタ部３３ｍがボックス３３ａの外側に露出している。
【００６４】
また、上述したように、遊技盤１の裏面には演出データ装置３２が取り付けられており、この演出データ装置３２の裏面であって、演出制御装置３３が取り付けられた演出制御装置配設部１６５の下方に位置する部分には、コネクタ部３２ｆが設けられている。
【００６５】
すなわち、図１に示すように、遊技盤１が前面枠本体１３０に取り付けられ、かつ、裏機構枠１６０が遊技盤１の裏面側に配された状態で、演出制御装置３３を収容したボックス３３ａを演出制御装置配設部１６５に収容される状態にすると、演出データ装置３２のコネクタ部３２ｆと演出制御装置３３のコネクタ部３３ｍが連結し、演出データ装置３２と演出制御装置３３が直接接続できるようになっている。
【００６６】
また、背面壁２６３の裏面であって、裏機構枠１６０の裏面側から見て、演出制御装置配設部１６５の右側には、演出制御装置３３と他の装置等を接続する配線を収納する配線収納部２０４が形成されている。また、配線収納部２０４の上部には、遊技機外部の装置（管理装置など）との通信を行うための枠用外部出力端子２０５が設けられている。
【００６７】
図３に示すように、表示枠ユニット収納部１６８の後面を形成する背面壁２６３の前面には、表示枠ユニット１７０を前側に付勢する表示枠ユニット付勢手段をなす付勢部材としての圧縮コイルばね１８２を収納する付勢部材収納部１８１や、本体部１６１を補強するための補強リブ１６４が形成されている。なお、上述したように背面壁２６３の裏面側の下部には、前方に窪んで後方に開口した凹部である演出制御装置配設部１６５が形成されており、表示枠ユニット収納部１６８の後面であって下部は、演出制御装置配設部１６５の裏面によって形成されている。
【００６８】
付勢部材収納部１８１は、後述する表示枠ユニット付勢手段としての圧縮コイルばね１８２の外径と略同じ内径を有する円筒形の凹部で、前側に突出した演出制御装置配設部１６５の上側に隣接して、背面壁２６３の左右方向の中心から左右に等しい距離だけ離れて２つ設けられている。すなわち、付勢部材収納部１８１は背面壁２６３の前面側であって、演出制御装置配設部１６５と前後に重ならない部位に設けられている。
【００６９】
そして、表示枠ユニット収納部１６８の後面であって、前側に突出した演出制御装置配設部１６５と付勢部材収納部１８１が存在する部分を除いた部分には、補強リブ１６４が格子状に形成されている。なお、付勢部材収納部１８１および補強リブ１６４の前端部と、演出制御装置配設部１６５の裏面は、それぞれ同じ前後位置、すなわち、同一平面上に存在する。
【００７０】
そして、左右の周囲壁１６７とそれを延長するガイド部１６２，１６２により形成される表示枠ユニット収納部１６８の左右の内側面には、表示枠ユニット１７０の外周部を構成している表示枠ユニット本体１７２の左右の側部にそれぞれ設けられるとともに、前記左右の側部の上部及び下部の合わせて４カ所から外側（左側もしくは右側）に突出する後述の被スライド部１８，１８，…を前後に移動自在に案内する概略溝状のスライド部１６９，１６９，…が設けられている。
【００７１】
スライド部１６９，１６９，…は、４つの被スライド部１８，１８，…に対応して左右の内周面にそれぞれ上下２本ずつ前後方向に延在して設けられている。また、上側のスライド部１６９，１６９はその上部に、下側のスライド部１６９，１６９はその下部にそれぞれ前後方向に沿った突条１６９ａが形成され、溝状のスライド部１６９と合わせて被スライド部１８の上下移動を規制して前後に案内するようになっている。なお、スライド部１６９の前端は、ガイド部１６２の前端部より僅かに後方となっており、スライド部１６９の前端部には、溝状のスライド部１６９の前端部を閉塞した状態として、該前端部より前側への表示枠ユニット１７０（被スライド部１８）の移動を規制する前方位置規制部材１８０が形成されている。
【００７２】
表示枠ユニット収納部１６８には、画像表示面１７１が前側（開口した側）となるように表示枠ユニット１７０が配設されるようになっている。そして、図１に示すように、裏機構枠１６０を遊技盤１の裏面に臨むように配することで、遊技盤１の裏面側に表示枠ユニット１７０の画像表示面１７１が臨むようになる。なお、裏機構枠１６０が遊技盤１の裏面に臨む状態にあるとき、表示枠ユニット１７０は遊技盤本体１０の裏面から後方側へ隔離した位置に配されるようになっている。また、この表示枠ユニット収納部１６８の上下幅および左右幅は、表示枠ユニット１７０の上下幅および左右幅（ただし左右に突出する被スライド部１８を除く）よりも大きくなっており、表示枠ユニット１７０の周囲に空間があいた状態とされる。さらに、溝状のスライド部１６９の上下幅は被スライド部１８の上下幅よりも若干大きく、また、左右に対向して形成されたスライド部１６９，１６９間の幅は、表示枠ユニット１７０の左右に形成された被スライド部１８，１８の側端部間の幅よりも若干大きくなっている。
【００７３】
これによって、表示枠ユニット１７０の前後方向への移動が容易になるとともに、表示枠ユニット１７０が表示枠ユニット収納部１６８内で僅かに傾斜した状態（非平行状態）になることも可能となる。
【００７４】
また、表示枠ユニット１７０は、後述するように、バネ等の弾性部材からなる表示枠ユニット付勢手段により前方側に向かって付勢された状態となっているが、裏機構枠１６０を開放した状態あるいは、遊技盤１を前面枠１２０から取り外した状態では、上述の前方位置規制部材１８０に表示枠ユニット１７０の被スライド部１８の前端部が当接した状態となる。すなわち、この表示枠ユニット１７０の裏機構枠１６０に対する前後位置が、表示枠ユニット１７０の前後方向の移動範囲における最も前側の位置である。
なお、裏機構枠１６０を閉じた状態においては、遊技盤裏面に設けられて後方に突出するセンターケース１１の後端部１６は、上述した表示枠ユニット１７０の前後方向の移動範囲における最も前側の位置より後方に位置するようになっている。よって、センターケース１１の後端部１６が表示枠ユニット１７０の前面に密着できるようになっている。
【００７５】
裏機構枠１６０の上部には、外部から供給される遊技球を貯留する貯留タンク２２０と、該貯留タンク２２０と一体的に設けられ、該貯留タンク２２０に貯留されている遊技球を下流側に排出可能な排出装置２０１とを有するタンク排出装置２００が設けられている。
【００７６】
図１から３に示すように、貯留タンク２２０は、上面側が開放した概略長方形状の箱体であって、外部（島設備の補球装置）から供給される遊技球を貯留するものである。
この貯留タンク２２０の一側方であって、裏機構枠１６０が前面枠本体１３０に軸着される側には、排出装置２０１が一体的に設けられており、貯留タンク２２０の底壁は、排出装置２０１が設けられた側に向かって下るように傾斜している。
【００７７】
排出装置２０１は、筐体となる筒体部２０２の内部空間に、図示しないスプロケットが回動可能に設けられ、上部に設けられたステッピングモータ２０３によってスプロケットを回動させることで、筒体部２０２の底面に設けられた図示しない排出口から遊技球を一個宛排出できるように構成されている。また排出口は、賞球もしくは貸球としての遊技球を排出する排出用導出口と、貯留タンク２２０から遊技球を抜き取る際に使用する球抜き用導出口とが設けられており、スプロケットの回転方向によって遊技球を排出する排出口を選択できるようになっている。そして、排出装置２０１は、（遊技制御装置３０の制御の下で）排出発射制御装置３４によってステッピングモータ２０３の回転方向、回転角度が制御され、排出用導出口から賞球もしくは貸球として所定数の遊技球を排出することや、球抜き導出口から貯留タンク２２０内の遊技球を遊技機外部（島設備の回収樋）に排出することができるようになっている。
【００７８】
排出装置２０１から排出された遊技球は、遊技機１００の前面側から見て左側に設けられた遊技球流路を流下する。この遊技球流路としては、賞球もしくは貸球として排出用導出口から排出された遊技球が流下する排出流路と、球抜きのために球抜き用導出口から排出された遊技球が流下する球抜き流路が形成されている。排出流路はその下流側端部で遊技球を上皿に誘導する流路に連結しており、排出装置２０１から賞球または貸球として排出された遊技球が上皿に流入するようになっている。また、球抜き流路はその下流側端部で遊技球を遊技機外部に誘導する流路に連結しており、排出装置２０１によって貯留タンク２２０から抜き取られた遊技球が遊技機外部に排出されるようになっている。
【００７９】
このように遊技球を流下させる遊技球流路は、図５から８に示すように、裏機構枠１６０に形成され、排出装置２０１に接続した上部遊技球流路２４５と、機枠１１０に形成され、上部遊技球流路２４５の下流側端部に接続する迂回流路２４６と、前面枠１２０の下部（裏機構枠１６０の下方）に配設されたベース部１２２に形成され、迂回流路２４６の下流側端部に接続する下部遊技球流路２４７とに分かれている。また、上部遊技球流路２４５には上部排出流路２４３ａ、上部球抜き流路２４４ｂが、迂回流路２４６には迂回排出流路２４３ｂ、迂回球抜き流路２４４ｂが、下部遊技球流路２４７には下部排出流路２４３ｃ、下部球抜き流路２４４ｃが形成されている。そして、上部排出流路２４３ａ、迂回排出流路２４３ｂ、下部排出流路２４３ｃによって排出流路が形成され、上部球抜き流路２４４ａ、迂回球抜き流路２４４ｂ、下部球抜き流路２４４ｃによって球抜き流路が形成される。
【００８０】
上部遊技球流路２４５は、排出装置２０１の筒体部２０２の底面に設けられた図示しない排出用導出口、球抜き用導出口から排出された遊技球を、裏機構枠１６０の前面側から見て左側に誘導する流路で、その下流側端部は、裏機構枠１６０の左側面から突出するように形成されている。この上部遊技球流路２４５は、上流側部分（図示略）が裏機構枠１６０の本体部１６１に形成されており、下流側部分が本体部１６１に取り付けられた連結部材２５０によって形成されている。
【００８１】
本体部１６１に形成された上部遊技球流路２４５の上流側部分における排出流路の入口は排出装置２０１の排出用導出口に、球抜き流路の入口は球抜き用導出口にそれぞれ連通するようになっている。そして、この上部遊技球流路２４５の上流側部分は、排出流路と球抜き流路が前後に並んだ状態で、裏機構枠１６０の前面側から見て左側に遊技球を誘導するように形成され、その出口が本体部１６１の左側面に開口するように形成されている。また、本体部１６１の左側面であって、上部遊技球流路２４５の上流側部分の出口が形成された部分は、上部遊技球流路２４５の下流側部分を形成する連結部材２５０の一端部を受け入れ可能な凹部２４８となっている。なお、この凹部２４８は、連結部材２５０の流路形成部２５１の一部と、流下阻止部材取付部２５２を収容可能な大きさとなっている。
【００８２】
図５に示すように、上部遊技球流路２４５の下流側部分を形成する連結部材２５０は、本体部１６１に形成された上流側部分としての排出流路、球抜き流路に連通する上部排出流路２４３ａ、上部球抜き流路２４４ａを備え、本体部１６１の左側面に形成された凹部２４８に着脱可能に取り付けられている。この連結部材２５０は、上部遊技球流路２４５の下流側部分として上部排出流路２４３ａ、上部球抜き流路２４４ａを形成する流路形成部２５１と、これらの上部排出流路２４３ａ、上部球抜き流路２４４ａの出口を開閉する流下阻止部材２５３を備える流下阻止部材取付部２５２とを有する。
なお、図５（ａ）は、前面枠１２０を開放した状態を示しており、連結部材２５０が迂回流路２４６の上部接続部２６９から抜け、流路形成部２５１の底面に設けられた流下阻止部材２５３が上部排出流路２４３ａ、上部球抜き流路２４４ａの出口２４５ｂを閉鎖した状態となっている。
【００８３】
流路形成部２５１は略直方体形状であって、その内部に矩形筒状の上部排出流路２４３ａ、上部球抜き流路２４４ａが前後に並列するように形成されており、この上部排出流路２４３ａ、上部球抜き流路２４４ａの延在方向における一端部が、上部遊技球流路２４５の下流側部分の入口２４５ａとして、流路形成部２５１の側面に開口している。また、流路形成部２５１における上部遊技球流路２４５の下流側部分の入口２４５ａが形成された側面に隣接した一側面であって、並列に形成された上部排出流路２４３ａ、上部球抜き流路２４４ａの底壁をなす底面には、上部遊技球流路２４５の下流側部分の出口２４５ｂが形成されている。なお、流路形成部２５１は、出口２４５ｂが形成された側面が下側となるように本体部１６１に配される。
【００８４】
また、流路形成部２５１（連結部材２５０）の側面であって、本体部１６１に形成された凹部２４８に挿入される部分には、外側に向かって突出する係合爪２５４が設けられており、本体部１６１に形成された凹部２４８の内側面に形成された図示しない係合部に係合することで連結部材２５０を本体部１６１に固定できるようになっている。
【００８５】
流路形成部２５１の底面においては、上部遊技球流路２４５の下流側部分の入口２４５ａが形成された側面に隣接した端部から所定範囲にわたって流下阻止部材取付部２５２が形成されている。また、流路形成部２５１の底面における流下阻止部材取付部２５２が形成された側と対向する側の端部から所定範囲にわたって、上部遊技球流路２４５の下流側部分の出口２４５ｂとして上部排出流路２４３ａ、上部球抜き流路２４４ａの側壁がなく開口した状態とされている。そして、この出口２４５ｂを覆うように流下阻止部材２５３が設けられている。
【００８６】
なお、流下阻止部材取付部２５２が形成されている所定範囲とは、本体部１６１に連結部材２５０を取り付けた際に、本体部１６１の凹部２４８にちょうど収まる範囲であり、また、出口２４５ｂが形成された所定範囲とは、後述する迂回流路２４６の入口２４６ａとちょうど重なる範囲である。また、流路形成部２５１の底面における流下阻止部材取付部２５２が形成されている範囲と、出口２４５ｂが形成されている範囲は、所定の間隔をおいて位置しているが、この間隔は図１に示すように裏機構枠１６０と機枠１１０との間隔に等しいものとなっている。さらに、図５（ａ）に示すように、裏機構枠１６０と機枠１１０との間に配されるこの部分にある上部排出流路２４３ａ、上部球抜き流路２４４ａの底面は、出口２４５ｂに向かって下る傾斜面とされており、遊技球が円滑に出口２４５ｂ方向へ流下するようにされている。
【００８７】
図６に示すように、流下阻止部材２５３は、出口２４５ｂを覆う流下阻止部２５５と、流下阻止部２５５に形成されたセンサ押圧部２５６とを有する。
流下阻止部２５５は、流路形成部２５１の底面における流下阻止部材取付部２５２が形成された部分を除いた範囲を覆う板状の部材である。なお、流下阻止部２５５の上部排出流路２４３ａ、上部球抜き流路２４４ａの延在方向に沿った長さは、流下阻止部２５５が出口を完全に覆った状態で、流下阻止部２５５の端部の一部が流下阻止部材取付部２５２内に位置するような長さとされている。
【００８８】
この流下阻止部２５５は、流路形成部２５１の底面に形成された流下阻止部材取付部２５２内に形成された図示しないガイド部によって、流路形成部２５１の底面に密接するように、かつ、上部排出流路２４３ａ、上部球抜き流路２４４ａの延在方向に沿ってスライド可能に支持されている。そして、スライドすることによって、図６（ａ）に示すように、出口２４５ｂを閉鎖した流下阻止状態から、図６（ｂ）に示すように、出口２４５ｂを開放した流下状態とに変換できるようになっている。
【００８９】
また、流下阻止部２５５の流下阻止部材取付部２５２側に配される端部には、棒状のセンサ押圧部２５６が流下阻止部材２５３のスライド方向に沿って延出するように形成されている。このセンサ押圧部２５６は、流下阻止部２５５を流下阻止部材取付部２５２側にスライドし、出口２４５ｂを開放した流下状態にすると、流下阻止部材取付部２５２の側面であって、上部遊技球流路２４５の下流側部分の入口２４５ａ側にある側面に形成された図示しない挿通穴から外部に突出するようになっている。
【００９０】
そして、連結部材２５０を取り付ける本体部１６１の凹部２４８内には、図６（ｂ）に示すように、センサ押圧部２５６が押圧可能な位置に、検出手段としての流路センサ２５７が設けられている。この流路センサ２５７は、本体部１６１の凹部２４８に固定されるセンサ本体２５７ａに設けられた第１接点２５７ｂと、センサ本体２５７ａに一端部が固定され、他端部が第１接点２５７ｂと対向するように配された金属板からなる第２接点２５７ｃとを有する。そして、金属板からなる第２接点２５７ｃに外部から力が加わっていない状態では、その弾性力によって第１接点２５７ｂから離れた状態となっていて、第２接点２５７ｃを第１接点２５７ｂ側に押圧することで両接点が接するように構成されている。
【００９１】
このような流路センサ２５７は、流下阻止部材２５３が流下状態に変換されると、センサ押圧部２５６によって第２接点２５７ｃが第１接点２５７ｂ側に押圧され、両接点が当接した状態、すなわち流路センサ２５７がＯＮの状態となる。また、流下阻止部材２５３が流下阻止状態に変換されると、センサ押圧部２５６による第２接点２５７ｃの押圧が解除され、第１接点２５７ｂと第２接点２５７ｃが離れた状態、すなわち、流路センサ２５７がＯＦＦの状態となる。つまり、流路センサ２５７のＯＮ、ＯＦＦを監視することで流下阻止部材２５３の状態を検出できるようになっている。
【００９２】
また、センサ押圧部２５６には、挿通穴の径よりも大きい径を有する圧縮コイルばね２５８が挿通されており、その一端が流下阻止部材取付部２５２の内側面に当接するとともに、他端が流下阻止部２５５の端部に当接するようになっている。この圧縮コイルばね２５８によって、流下阻止部材２５３は常に出口２４５ｂを閉鎖する方向へ付勢されるようになっている。
【００９３】
また、図５（ａ）に示すように、流下阻止部２５５の流下阻止部材取付部２５２側に配される端部と対向する側の端部には、下方に突出する当接部２５９が形成されている。この当接部２５９は、上部遊技球流路２４５と迂回流路２４６と接続する際に、図６（ｂ）に示すように、迂回流路２４６の側面に当接して、流下阻止部材２５３を流下状態に変換するためのものである。なお、この詳細については後述する。
【００９４】
以上のような構成を有する連結部材２５０は、本体部１６１に形成された凹部２４８に、入口２４５ａが形成された一端部が挿入され、固定されている。また、流路形成部２５１の底面であって、入口２４５ａが形成された側に形成された流下阻止部材取付部２５２もこの凹部２４８に挿入された状態となっている。
【００９５】
このように連結部材２５０を取り付けることで、流路形成部２５１に形成された上部排出流路２４３ａ、上部球抜き流路２４４ａの入口２４５ａが本体部１６１に形成された上流側部分の出口と接続するようになる。そして、上部排出流路２４３ａ、上部球抜き流路２４４ａの延在方向が、裏機構枠１６０の左右方向に沿うとともに、両流路２４３ａ，２４４ａが前後に並ぶように配される。また、入口２４５ａが形成された側面に隣接した一側面に形成された出口２４５ｂは、下方向を向くように配される。これにより、上部遊技球流路２４５の下流側部分の入口２４５ａから流入した遊技球は、裏機構枠１６０の前面側から見て左方向へ流下し、その後、流下方向が９０度変更されて、上部遊技球流路２４５の下流側部分の出口２４５ｂから下方へ流出するようになっている。
【００９６】
図７に示すように、迂回流路２４６は、機枠１１０の裏面側から見て右側の側部（側辺
）に形成されており、上部遊技球流路２４５を流下した遊技球を下方に誘導する流路であって、迂回排出流路２４３ｂと迂回球抜き流路２４４ｂが機枠１１０の上下方向（長手方向）に沿って延在するように前後に並列に配されている。迂回流路２４６が形成される部分における機枠１１０の後端部は、後方に突出するように形成されており、この部分における機枠１１０の前後幅は、その他の部分より広くなっている。そして、迂回流路２４６を、機枠１１０が後方に突出した部分にその後端部がかかるように形成することで、前面枠１２０の後方に突出した裏機構枠１６０に形成された上述の上部遊技球流路２４５に対向する位置に配設できるようになっている。
【００９７】
この迂回流路２４６は、機枠１１０の内側面に上下方向に沿って延在するように形成された矩形状の凹部である流路形成凹部２６０と、機枠１１０に取り付けられた流路構成部材２６１とによって形成されている。
【００９８】
流路構成部材２６１は、流路構成部材２６１を機枠１１０に固定するための固定部２６２と、迂回流路２４６を形成する流路形成部２６４とが一体に形成された金属製の部材である。
固定部２６２は、断面形状がコ字状をしており、機枠１１０の流路形成凹部２６０が形成された部分における前端面、後端面、内側面を覆うように取り付けられている。また、固定部２６２には、複数のねじ穴２６２ａ，２６２ａ，…が形成されており、機枠１１０に形成されたねじ止め部１１０ａ，１１０ａ，…とによって、流路構成部材２６１はねじで機枠１１０に固定されている。なお、金属製の固定部２６２は、機枠１１０の補強部材としての機能も有している。
【００９９】
機枠１１０における流路構成部材２６１の固定部２６２が取り付けられる部分は、固定部２６２の板厚の分だけ表面が窪んでおり、この窪みに合わせて固定部２６２を配することで、図５（ａ）に示すように、流路構成部材２６１が所定位置に取り付けられるようになっている。また、このように固定部２６２を配すると、流路構成部材２６１の固定部２６２の表面と機枠１１０の表面とが同一面をなすようになっている。
【０１００】
流路形成部２６４は、機枠１１０の内側面に配される部分であって、機枠１１０に形成された流路形成凹部２６０と重なる位置に形成されており、矩形状の開口部２６５と、迂回排出流路２４３ｂと迂回球抜き流路２４４ｂの仕切りをなす仕切部２６６とを有する。
【０１０１】
開口部２６５は、流路形成凹部２６０の周縁とちょうど重なるように形成されており、この開口部２６５を通して流路形成凹部２６０が機枠１１０の内側に開口した状態となっている。
また、仕切部２６６は、固定部２６２における機枠１１０の前端面を覆う部分と平行な３つの仕切板２６７，２６７，２６７と、この３つの仕切板２６７，２６７，２６７の一端部に接続し、機枠１１０の内側面を覆う部分と平行な側板２６８とからなり、断面形状がＥ字状となっている。そして、平行に並んだ３つの仕切板２６７，２６７，２６７のうち両端にある仕切板２６７，２６７の外側の面と開口部２６５の縁部が接続している。
【０１０２】
仕切部２６６の側板２６８が接続されていない端部は、固定部２６２における機枠１１０の内側面と接する面側に突出するように形成されている。この端部が突出する幅は、流路形成凹部２６０の深さとほぼ同じ幅となっており、この端部は、ちょうど流路形成凹部２６０内に収容されるとともに、その外側の面が流路形成凹部２６０の側面に当接した状態となる。また、仕切板２６７，２６７，２６７の側板２６８が接続された端部は、固定部２６２における裏機構枠１６０側に配される面側に突出するように形成されている。
【０１０３】
すなわち、流路形成部２６４は、開口部２６５に仕切部２６６が挿入されたような形状に形成されており、流路構成部材２６１における機枠１１０の内側面に配される部分に、機枠１１０の上下方向に沿った２本の溝が、流路形成凹部２６０側に開口するように形成されている。そして、流路形成部２６４と流路形成凹部２６０が対向するように配されることで、矩形筒状の迂回排出流路２４３ｂ、迂回球抜き流路２４４ｂが機枠１１０の上下方向に沿って前後に並列に形成されている。
【０１０４】
また、仕切部２６６が流路形成凹部２６０内に収容されるように配されるので、迂回排出流路２４３ｂ、迂回球抜き流路２４４ｂの側壁のうち、前側、後側、裏機構枠１６０側に位置する側壁は金属製の流路構成部材２６１によって形成されることとなる。流路構成部材２６１はアースされており、流下する遊技球が触れることで、遊技球に帯電していた静電気が逃がされるようになっている。
【０１０５】
以上のことから、機枠１１０は、合成樹脂により形成するとともに、迂回流路２４６を形成する金属製の流路構成部材２６１を備えたこととなる。
【０１０６】
また、仕切部２６６は、図５（ａ）に示すように、開口部２６５の上端から、上述した連結部材２５０の流路形成部２５１の上下幅の分だけ、裏機構枠１６０側に突出した部分がないものとされている。これによって、迂回流路２４６の上流側端部に、連結部材２５０の流路形成部２５１を受け入れ可能な上部接続部２６９が形成され、上部遊技球流路２４５と迂回流路２４６とが接続できるようになっている。
【０１０７】
また同様に、図８（ａ）に示すように、開口部２６５の下端から、後述する下部連結部材２７６の上下幅の分だけ、裏機構枠１６０側に突出した部分がないものとされている。これによって、迂回流路２４６の下流側端部に、下部連結部材２７６を受け入れ可能な下部接続部２７０が形成され、下部遊技球流路２４７と迂回流路２４６とが接続できるようになっている。
【０１０８】
図８に示すように、迂回流路２４６の下流側端部には、下部流下阻止部材２７１が設けられている。
この下部流下阻止部材２７１は、回動軸２７２と、回動軸２７２を中心とした扇形板状に形成された阻止部材２７３と、阻止部材２７３の一端部に形成され、回動軸２７２と同じ方向に延在する当接部２７４とを有する。
【０１０９】
下部流下阻止部材２７１は、迂回流路２４６の下流側端部に位置する流路構成部材２６１の仕切部２６６に形成された図示しない軸受けによって、回動軸２７２が迂回流路２４６の延在方向に沿うように支持されており、回動軸２７２を中心として阻止部材２７３が迂回流路２４６の延在方向に直交する面に沿って回動可能に配されている。この阻止部材２７３の回動範囲は、図８（ｂ）に示すように、迂回流路２４６の下流側端部を閉鎖した状態から、図８（ｃ）に示すように、迂回流路２４６の下流側端部から退避した状態までとなっている。
【０１１０】
また、図８（ａ）に示すように、機枠１１０の後端面側にある仕切板２６７には、裏機構枠１６０側に突出した部分に、阻止部材２７３が通過可能なスリット２７５が形成されており、迂回流路２４６の下流側端部から退避した状態にある場合は、阻止部材２７３がスリット２７５から仕切部２６６の外側に露出した状態となる。
【０１１１】
当接部２７４は、迂回流路２４６の下流側端部における下部接続部２７０内に突出するように配され、下部接続部２７０に挿入される下部連結部材２７６に当接できるようになっている。また、当接部２７４は阻止部材２７３の回動範囲を規制するものでもあって、図８（ｂ）に示すように、迂回流路２４６の下流側端部を閉鎖した状態では、側板２６８の迂回流路２４５側の面に当接して、阻止部材２７３の回動を規制している。また、図８（ｃ）に示すように、迂回流路２４６の下流側端部から退避した状態では、スリット２７５が形成された仕切板２６７の迂回流路２４５側の面に当接し、阻止部材２７３の回動を規制している。
【０１１２】
また、阻止部材２７３は、回動軸２７２に取り付けられた付勢部材としての図示しないねじりコイルばねによって、常に迂回流路２４６を閉鎖する方向へ付勢されている。すなわち、下部接続部２７０に下部連結部材２７６が挿入されていないときは、図８（ｂ）に示すように、付勢部材の付勢力によって阻止部材２７３が迂回流路の下流側端部を閉鎖する位置に配されている。
【０１１３】
そして、下部接続部２７０に下部連結部材２７６が挿入されると、当接部２７４が下部連結部材２７６によって機枠１１０方向に押圧され、これに伴い阻止部材２７３が迂回流路から退避する方向へ移動するとともに、スリット２７５から外部に露出した状態となる。
【０１１４】
下部連結部材２７６は、下部遊技球流路２４７の入口をなすものであって、前面枠１２０における下部に位置するベース部１２２の前面側から見て左側の側端部から突出するように形成されている。なお、この下部連結部材２７６は、裏機構枠１６０の側部に設けられた連結部材２５０と同じ前後位置に配されている。
【０１１５】
この下部連結部材２７６は、迂回流路２４６の迂回排出流路２４３ｂ、迂回球抜き流路２４４ｂに連通する下部排出流路２４３ｃ、下部球抜き流路２４４ｃが前後に並列に形成されているとともに、その入口２７６ａが上側に開口している。この下部連結部材２７６から下方に連続する下部遊技球流路２４７は、下部排出流路２４３ｃが下流側端部で遊技球を上皿に誘導する流路に連結している。また、下部球抜き流路２４４ｃが下流側端部で遊技球を遊技機外部に誘導する流路に連結している。
【０１１６】
このように、貯留タンク２２０と排出装置２０１が一体となったタンク排出装置２００を裏機構枠１６０の上部に備えるとともに、遊技球流路を機枠１１０側に迂回させたことで、遊技盤１の後方側のスペースを広く空けることができる。
【０１１７】
以上のことから、島設備に取り付けられる機枠１１０に対して開放可能に前面枠１２０を設け、該前面枠１２０に対して遊技盤１を着脱可能に装着するようにした遊技機１００において、前面枠１２０の裏面側には、外部から供給される遊技球を貯留する貯留タンク２２０と、貯留タンク２２０からの遊技球を１個宛排出可能な排出装置２０１と、を備え、排出装置２０１から排出された遊技球を下方側に流下させる遊技球流路（上部遊技球流路２４５、迂回流路２４６、下部遊技球流路２４７）を備えて、該遊技球流路には、当該遊技機１００の左右の一方側に延在して遊技盤１の後方領域を迂回する迂回流路２４６を形成したこととなる。
【０１１８】
表示枠ユニット１７０は、図２から４に示すように、前面側が開口した矩形箱状（額縁状）に形成された表示枠ユニット本体１７２と、この矩形箱状の表示枠ユニット本体１７２の、前面側が前記開口により開放された空間である内部収納空間１８３内に配置される表示ユニット１７３と、前記表示枠ユニット本体１７２の前面側で前記内部収納空間１８３の前側を覆う透明な前面クリアカバー１７９とからなるものである。なお、図４に示した表示枠ユニット１７０は、前面クリアカバー１７９を取り外した状態となっている。
【０１１９】
表示枠ユニット本体１７２は、被スライド部１８を有し、裏機構枠１６０の表示枠ユニット収納部１６８内において前後動自在に配される。また、表示枠ユニット本体１７２の内部収納空間１８３は、その形状が前後幅が狭い略直方体状、すなわち、略矩形板状となっている。
【０１２０】
被スライド部１８は表示枠ユニット本体１７２の左右の側部であって、上部及び下部の合わせて４ヶ所から側部に対して垂直に外側に突出するように設けられている。
この被スライド部１８は略直方体形状であって、先端側には、カバー部材１８ａが取り付けられている。このカバー部材１８ａは、摩擦係数が低い材質（例えば、ポリアセタール、金属）からなる。
【０１２１】
また、被スライド部１８の先端側には、例えば、遊技球のような球体（図示略）が転動自在に収納されており、カバー部材１８ａを取り付けることによって、球体の一部がカバー部材１８ａに形成された開口部１８ｅから外側に突出した状態で保持されるようになっている。なお、カバー部材１８ａは、被スライド部１８の前面を覆う部分にねじ孔１８ｂが形成されており、カバー部材１８ａをねじによって被スライド部１８に固定できるようになっている。
【０１２２】
表示枠ユニット１７０の上部にある被スライド部１８においては、カバー部材１８ａが、裏機構枠１６０の表示枠ユニット収納部１６８に形成されたスライド部１６９と接する被スライド部１８の端面（外側に位置する側面）と上面、前面およびこれらの面が接続する角部を覆うように取り付けられている。そして、カバー部材１８ａの被スライド部１８の端面を覆う部分に形成された開口部１８ｅから、被スライド部１８に収納された球体の一部が外側に突出するようになっている。
【０１２３】
また、表示枠ユニット１７０の下部にある被スライド部１８においては、カバー部材１８ａが、裏機構枠１６０の表示枠ユニット収納部１６８に形成されたスライド部１６９と接する被スライド部１８の端面（外側に位置する側面）と下面、前面およびこれらの面が接続する角部を覆うように取り付けられている。そして、カバー部材１８ａの被スライド部１８の下面を覆う部分に形成された開口部（図示略）から、被スライド部１８に収納された球体の一部が外側に突出するようになっている。
【０１２４】
このような構成によって、スライド部１６９に対して摩擦係数が低い材質からなるカバー部材１８ａもしくは転動可能な球体が当接することとなり、被スライド部１８とスライド部１６９との間の摩擦抵抗が軽減され、表示枠ユニット１７０を円滑に前後方向に移動することができるようになる。
【０１２５】
また、表示枠ユニット本体１７２の側壁の内側、すなわち、内部収納空間１８３の内側となる部分には、ねじ止め部１８ｄが形成されていて、内部収納空間１８３の前面側の開口を閉鎖する前面クリアカバー１７９をねじによって表示枠ユニット本体１７２の前面側に固定できるようになっている。
【０１２６】
前面クリアカバー１７９は、内部収納空間１８３の前面側の開口と略同じ大きさの透明な材質からなる略矩形板状の部材で、上述のように表示枠ユニット本体１７２の前面側に固定されるようになっている。この前面クリアカバー１７９は、内部収納空間１８３の前面側の開口を閉鎖する前面壁としての機能を有し、表示枠ユニット１７０の前面側から後述の表示ユニット１７３（画像表示面１７１）を視認可能な状態で、表示ユニット１７３を内部収納空間１８３内に保持するものである。また、前面クリアカバー１７９は、表示枠ユニット１７０の前面壁としての機能も有し、図１に示すように、裏機構枠１６０を閉鎖した状態では、前面クリアカバー１７９の前面がセンターケース１１の後端部１６に当接し、表示用窓部１２を閉鎖するようになっている。すなわち、前面クリアカバー１７９は、液晶表示パネル１７５の画像表示面１７１を、センターケース１１の後端部１６や遊技球の接触に伴う衝撃から保護するものでもある。
【０１２７】
また、表示枠ユニット本体１７２の裏面には、図示しない配線用開口、ばね装着筒が形成されている。
配線用開口は、表示枠ユニット本体１７２を前後に貫通するように形成された開口で、表示枠ユニット本体１７２の前面側であって内部収納空間１８３内に配される表示ユニット１７３と、裏機構枠１６０の裏面側に配される演出制御装置３３とを接続する配線を通すための開口である。なお、表示ユニット１７３を構成する表示ユニットケース１７４の裏面側にも図示しない配線用開口が形成されており、液晶表示パネル１７５に設けられたコネクタ部が後方に露出している。表示枠ユニット本体１７２に形成された配線用開口は、表示ユニット１７３を内部収納空間１８３に収納した際に、表示ユニット１７３の裏面側に露出する液晶表示パネル１７５のコネクタ部が、表示枠ユニット本体１７２の裏面側に露出できるような位置に形成されている。
【０１２８】
ばね装着筒は、表示枠ユニット本体１７２の裏面側に、後方に突出するように形成された円筒状の凸部である。このばね装着筒の外径は、表示枠ユニット付勢手段としての圧縮コイルばね１８２の内径と略等しく、ばね装着筒に圧縮コイルばね１８２を嵌合することで、表示枠ユニット本体１７２の裏面（表示枠ユニット１７０の裏面）に圧縮コイルばね１８２が取り付けられる。
【０１２９】
このばね装着筒が形成される位置は、表示枠ユニット１７０を表示枠ユニット収納部１６８に取り付けたときに、表示枠ユニット配設部１６３の前面に形成された付勢部材収納部１８１と対向する位置となっている。そして、付勢部材収納部１８１に収納された圧縮コイルばね１８２に、ばね装着筒を挿入することで、表示枠ユニット１７０と表示枠ユニット配設部１６３の前面との間に圧縮コイルばね１８２が配され、表示枠ユニット１７０が前方向に付勢された状態となる。なお、圧縮コイルばね１８２に外部から力がかかっていない状態での長さ（自然長）は、表示枠ユニット１７０の前面（被スライド部１８）が前方位置規制部材１８０に当接し、表示枠ユニット１７０が最も前側にある状態における表示枠ユニット１７０の裏面と付勢部材収納部１８１の後端部との距離よりも長く、常に表示枠ユニット１７０を前側に付勢できるようになっている。
【０１３０】
表示ユニット１７３は、表示枠ユニット本体１７２の内部収納空間１８３内にちょうど収まるような矩形板状に形成されている。この表示ユニット１７３は、液晶表示パネル１７５（液晶表示器５５、バックライト５６を含む）を収納する表示ユニットケース１７４と、この表示ユニットケース１７４内に収納された液晶表示パネル１７５とからなるものであり、表示ユニットケース１７４の前面側から液晶表示パネル１７５の画像表示面１７１を有する前面が露出している。なお、表示ユニット１７３の側部には、内部収納空間１８３の内側面に突出するように形成されたねじ止め部１８ｄ，１８ｄ・・・と対応する位置に凹部１７３ａ，１７３ａ・・・が形成されており、表示ユニット１７３を内部収納空間１８３に収納した際には、この凹部１７３ａ，１７３ａ・・・にねじ止め部１８ｄ，１８ｄ・・・が収容され、前側に露出するようになっている。
【０１３１】
また、表示ユニットケース１７４の裏面には、表示ユニットケース１７４に収納される液晶表示パネル１７５と、裏機構枠１６０の裏面側に配される演出制御装置３３とを接続する配線を通すための、前後に貫通した図示しない配線用開口が形成されている。この配線用開口は、液晶表示パネル１７５の裏面側に設けられたコネクタ部の位置に対応して形成されており、液晶表示パネル１７５を表示ユニットケース１７４に収納すると、この配線用開口からコネクタ部が露出するようになっている。
【０１３２】
液晶表示パネル１７５は、矩形板状であって表示ユニットケース１７４にちょうど収まる大きさとなっている。この液晶表示パネル１７５は、液晶表示器５５とバックライト５６などから構成され、液晶表示器５５の画像表示面１７１が、前側に臨むように配されている。よって、液晶表示パネル１７５の画像表示面１７１は、表示枠ユニット１７０の前面側から前面クリアカバー１７９を介して視認可能に配されることとなる。
【０１３３】
液晶表示器５５の画像表示面１７１の面積は、前面枠本体１３０に形成された開口部に嵌め込まれた遊技盤１の上側略半分を裏面側から覆うことができる面積となっており、センターケース１１によって形成された表示用窓部１２よりも広いものである。すなわち、画像表示面１７１の面積が、少なくとも表示用窓部１２よりも広く、表示用窓部１２の大きさが変化してもそれに対応できるようになっている。このように、液晶表示器５５の画像表示面１７１が遊技盤１の裏面側を幅広く覆うようにすることで、遊技盤１を交換して遊技機１００の遊技内容を変更する場合に、多種の遊技盤１の表示用窓部１２に対応できるようになっている。
【０１３４】
また、液晶表示器５５は、画像表示面１７１の面積が表示用窓部１２よりも広いので、表示用窓部１２から露出する領域に画像が表示されるように演出制御装置３３によって制御されている。この画像表示領域を決定する遊技盤１の表示用窓部１２の大きさや位置に関する初期情報（画像初期設定値コマンド）は、遊技制御装置３０に記憶されているが、遊技制御装置３０は遊技盤１に取り付けられており、遊技盤１と一緒に遊技制御装置３０も交換される。よって、遊技盤１の交換に伴い、例えば、これまでの遊技盤の表示用窓部に対応した画像表示領域から、新たな遊技盤１の表示用窓部１２に対応した画像表示領域に変更できるようになっている。
【０１３５】
以上のような構成によって、液晶表示器５５を備えた表示ユニット１７３は、表示枠ユニット１７０に保持され、表示枠ユニット１７０は、裏機構枠１６０に前後移動可能に保持されることとなる。すなわち、表示ユニット１７３は裏機構枠１６０に前後方向へ移動可能に保持されていることとなる。
【０１３６】
そして、図１に示すように、裏機構枠１６０を閉じ、遊技盤１の裏面側に表示枠ユニット１７０（表示ユニット１７３）が配設される状態では、遊技盤本体１０の裏面側に突出するセンターケース１１の後端部１６、すなわち遊技盤１の後方突出部が、表示枠ユニット１７０の前面に当接するようになっている。
【０１３７】
ここで、上述したように、裏機構枠１６０を閉じた状態においては、遊技盤裏面に設けられて後方に突出するセンターケース１１の後端部１６は、表示枠ユニット１７０の前後方向の移動範囲における最も前側の位置より後方に位置するようになっている。よって、センターケース１１の後端部１６が表示枠ユニット１７０を押圧し、圧縮コイルばね１８２，１８２の付勢力に抗して後方向に押し込んだ状態となり、両者が密着した状態となる。すなわち、表示ユニット１７３を備えた表示枠ユニット１７０は、遊技盤１の裏面側への突出量（後方突出量）に応じて後方向に移動し、所定の前後位置に配されることとなる。
【０１３８】
次に、前面枠１２０の開閉に伴う遊技球流路としての上部遊技球流路２４５、迂回流路２４６、下部遊技球流路２４７の接続について説明する。
図１に示すように、前面枠１２０を閉じた状態では、図５（ａ）に示す迂回流路２４６の上部接続部２６９に連結部材２５０の一端が挿入され、図８（ａ）に示す下部接続部２７０には下部連結部材２７６の一端が挿入された状態となっている。そして、上部排出流路２４３ａ、迂回排出流路２４３ｂ、下部排出流路２４３ｃが連通した状態となって排出流路を形成している。また、上部球抜き流路２４４ａ、迂回球抜き流路２４４ｂ、下部球抜き流路２４４ｃが連通した状態となって球抜き流路を形成している。
【０１３９】
そして、この状態においては、上部遊技球流路２４５の下流側部分をなす連結部材２５０に設けられた流下阻止部材２５３が、図６（ｂ）に示すように、出口を開放する流下状態とされており、センサ押圧部２５６が本体部１６１の凹部２４８内に設けられた流路センサ２５７を押圧し、流路センサ２５７がＯＮの状態となっている。また、迂回流路２４６の下流側端部に設けられた下部流下阻止部材２７１も、図８（ｃ）に示すように、阻止部材２７３が迂回流路２４６から退避した流下状態となっている。
【０１４０】
この状態から前面枠１２０を開放すると、迂回流路２４６の上部接続部２６９、下部接続部２７０から連結部材２５０、下部連結部材２７６が抜けて、上部遊技球流路２４５、迂回流路２４６、下部遊技球流路２４７が連通しない状態となる。
【０１４１】
そして、これに伴い、上部遊技球流路２４５の連結部材２５０においては、出口２４５ｂから退避していた流下阻止部材２５３が付勢部材としての圧縮コイルばね２５８の付勢力によって、図６（ａ）に示すように、出口２４５ｂを閉鎖した流下阻止状態となる。
【０１４２】
以上のことから、遊技球流路（上部遊技球流路２４５）における迂回流路２４６の上流側で該迂回流路２４６と接続される上流側接続部（連結部材２５０）に、遊技球の流下を阻止可能な流下阻止部材２５３を設け、前面枠１２０の開放動作に応じて、該流下阻止部材２５３を遊技球の流下状態から流下阻止状態に変換するようにしたこととなる。
【０１４３】
また、流下阻止部材２５３が流下阻止状態になるのに伴い、センサ押圧部２５６も検出手段としての流路センサ２５７から離れた状態となり、流路センサ２５７がＯＦＦの状態となる。センサ押圧部２５６が流路センサ２５７から離れたことに基づく検出信号は、排出発射制御装置３４に入力され、これに基づき排出発射制御装置３４は、排出装置２０１による遊技球の排出を停止する処理を行う。すなわち、排出発射制御装置３４が検出手段としての流路センサ２５７からの検出信号に基づき、排出装置２０１を停止させる停止制御手段をなす。なお、遊技球の排出を停止する処理には、動作中の排出装置２０１の動作を停止する処理の他、排出装置２０１の動作を不能動化する処理も含まれる。
【０１４４】
以上のことから、流下阻止部材２５３が遊技球の流下を阻止する状態になったことを検出する検出手段（流路センサ２５７）と、検出手段からの検出信号に基づき、排出装置２０１を停止させる停止制御手段（排出発射制御装置３４）と、を備えたこととなる。
【０１４５】
また、迂回流路２４６の下部接続部２７０においては、迂回流路２４６の下流側端部から退避していた阻止部材２７３が付勢部材としてのねじりコイルばねの付勢力によって、図８（ｂ）に示すように、迂回流路２４６の下流側端部を閉鎖した流下阻止状態となる。
【０１４６】
以上のように、前面枠を開放し、遊技球流路が連通しない状態となったときに、排出装置２０１の動作が停止され、流下阻止部材２５３、下部流下阻止部材２７１が流下阻止状態になることで、遊技球が遊技機１００の外部にこぼれてしまうことを防止できる。
【０１４７】
なお、前面枠１２０を開放した状態でさらに裏機構枠１６０を開放する際には、上部遊技球流路２４５の下流側部分をなす連結部材２５０を取り外すことによって、裏機構枠１６０の開放の妨げとならないようにすることができる。
【０１４８】
前面枠１２０を開放した状態から閉じる際は、上述と逆の動作が行われることとなる。
すなわち、前面枠１２０を閉鎖するように回動させることで、迂回流路２４６の上部接続部２７９、下部接続部２７０に、それぞれ連結部材２５０、下部連結部材２７６が挿入される。
【０１４９】
ここで、前面枠１２０は、図２に示すように、前面側から見て左側の端部の前側に設けられた軸受け部１２１が、機枠１１０に形成された回動軸に接続されることで機枠１１０に回動可能に取り付けられている。よって、この軸受け部１２１よりも後方側に位置する裏機構枠１６０に形成された連結部材２５０と、この連結部材２５０と同じ前後位置にある前面枠１２０の一部に形成された下部連結部材２７６は、迂回流路２４６と接続する直前においては略左右方向に沿って移動するようになる。また、連結部材２５０、下部連結部材２７６の迂回流路２４６と接続する側の端部は、その角部が斜めに落とされており、連結部材２５０、下部連結部材２７６は、容易に迂回流路２４６の上部接続部２６９、下部接続部２７０に挿入できるようになっている。
【０１５０】
上部遊技球流路２４５の下流側部分をなす連結部材２５０においては、上部接続部２６９に連結部材２５０が挿入される過程において、流下阻止部材２５３に形成された当接部２５９が迂回流路２４６の側部に当接する。そして、連結部材２５０が上部接続部２６９に挿入されるのに伴い、流下阻止部材２５３は、出口２４５ｂを開放する方向に押圧され、図６（ｂ）に示すように、付勢部材２５８の付勢力に抗してスライドし、流下状態に変換されるとともに上部遊技球流路２４５と迂回流路２４６が連通する状態になる。
【０１５１】
以上のことから、迂回流路２４６を、機枠１１０の側辺の長手方向に沿って形成するとともに、前面枠１２０の閉鎖時に、その上流側および下流側の遊技球流路（上部遊技球流路２４５、下部遊技球流路２４７）の各々と連通させるようにしたこととなる。
【０１５２】
また、流下阻止部材２５３が出口２４５ｂを開放する方向にスライドするのに伴い、センサ押圧部２５６も同じ方向に移動し、上部遊技球流路２４５と迂回流路２４６が連通した状態になった際に、流路センサ２５７を押圧して流路センサ２５７がＯＮの状態となる。センサ押圧部２５６が流路センサ２５７を押圧したことに基づく検出信号は、排出発射制御装置３４に入力され、これに基づき排出発射制御装置３４は、排出装置２０１の停止を解除する処理を行い、排出装置２０１を動作可能な状態とする。
【０１５３】
迂回流路２４６の下部接続部２７０においては、下部連結部材２７６が挿入されることにより、下部流下阻止部材２７１の当接部２７４が機枠１１０方向に押圧される。これにより、図８（ｂ）に示すように、迂回流路２４６の下流側端部を閉鎖した流下阻止状態となっていた阻止部材２７３が、付勢部材としてのねじりコイルばねの付勢力に抗して回動し、図８（ｃ）に示すように、迂回流路２４６の下流側端部から退避して迂回流路２４６の下流側端部を開放した流下状態に変換される。
【０１５４】
以上の動作により、上部遊技球流路２４５、迂回流路２４６、下部遊技球流路２４７が連通した状態となり、遊技球が流下可能となる。
【０１５５】
なお、以上の実施形態においては、連結部材２５０を着脱可能に構成し、裏機構枠１６０を開放する際に取り外すようにしているが、連結部材２５０の所定部位を裏機構枠１６０に軸着して、裏機構枠１６０の開放の際に、連結部材２５０が回動することで裏機構枠１６０の開放に支障が生じないようにしてもよい。なお、連結部材２５０の着脱時および回動時には、その上流側の遊技球流路を閉鎖する部材（例えば、上部遊技球流路２４５の上流側部分の出口を閉鎖する部材）を設けることが望ましい。
【０１５６】
また、迂回流路２４６の下流側端部に設けた下部流下阻止部材２７１の状態（流下状態、流下阻止状態）を検出するセンサを設けるようにしてもよい。
【０１５７】
また、機枠１１０は合成樹脂製であるとしたが、これに限られるものではなく、例えば、木製や金属製であっても良い。
【０１５８】
また、検出手段は、上述のような流路センサ２５７に限られず、流下阻止部材の状態を検出できるものであればよい。
【０１５９】
次に、図１０を参照して、上述のような遊技機１００の変形例について説明する。なお、以下の変形例では、上述の遊技機１００と同様の構成については、同じ符号を付して説明を省略する。
【０１６０】
本変形例の遊技機１００においては、裏機構枠１６０の前面側から見て左側の側部に突出するように形成された迂回流路形成部２８０内に、図示しない矩形筒状の迂回流路が形成されている。この迂回流路形成部２８０は、金属や導電性合成樹脂などの導電性部材によって形成されており、その外側面には、機枠１１０側に突出する金属製の接触促進部材２８１が設けられている。
【０１６１】
機枠１１０の内側面であって、前面枠１２０を閉鎖した際に迂回流路形成部２８０が位置する部分には、裏機構枠１６０から突出する迂回流路形成部２８０を収容する凹部である流路収納部２８２が形成されている。流路収納部２８２は、後端部側の厚みが薄くなった段状となっていて、金属製の補強部材２８３によって覆われることで補強されている。また、この金属製の補強部材２８３はアースされている。
【０１６２】
そして、前面枠１２０を閉鎖し、機枠１１０に形成された流路収納部２８２に裏機構枠１６０に形成された迂回流路形成部２８０を収容すると、迂回流路形成部２８０の接触促進部材２８１が、流路収納部２８２の金属製の補強部材２８３に接触するようになっている。迂回流路を流下する遊技球に帯電した静電気は、導電性部材からなる迂回流路形成部２８０、接触促進部材２８１を介し、金属製の補強部材２８３を通じて逃がされるようになっている。
【０１６３】
このような構成とすることで、上述の実施形態において、前面枠１２０側と機枠１１０側に分かれて形成されていた遊技球流路を前面枠１２０側に一体に形成でき、構成を簡略ができる。また、前面枠１２０を開放しても、遊技球流路は連通した状態のままとなるので、外部に遊技球がこぼれることを確実に防止できる。
【０１６４】
以上のことから、迂回流路は、排出装置２０１および貯留タンク２２０を配設した裏機構枠１６０の左右の一側縁部から外側に突出して形成され、機枠１１０は、前面枠１２０の閉鎖時に迂回流路を収容するための凹部（流路収納部２８２）を形成したこととなる。
【０１６５】
また、機枠１１０の凹部（流路収納部２８２）を金属部材（補強部材２８３）で覆うとともに、迂回流路を導電性部材で構成して、前面枠１２０の閉鎖時に該金属部材と導電性部材を電気的に接続するように構成したこととなる。
【０１６６】
なお、本変形例では、迂回流路は、迂回流路形成部２８０の内部に形成されているとしたが、迂回流路形成部２８０を機枠１１０側に開口した断面コ字状に構成し、前面枠１２０の閉鎖時に機枠１１０の内側面がコ字状の開口部を塞ぐようにして迂回流路を構成するようにしてもよい。
【０１６７】
また、迂回流路形成部２８０に金属製の接触促進部材２８１を別個取り付けるようにしているが、金属や導電性合成樹脂などの導電性部材からなる迂回流路形成部２８０に、一体的に接触部を形成して、金属製の補強部材２８３に接触させるようにしてもよい。
【０１６８】
また、裏機構枠１６０の側部に迂回流路が一体的に形成されていることから、裏機構枠１６０は前面枠本体１３０に対して回動して開放するのではなく、単に後方側から着脱するように構成することが望ましい。
【０１６９】
また、合成樹脂製の機枠１１０に金属製の補強部材２８３を被せて流路収納部２８２を形成しているが、機枠１１０自体を金属で構成することで、別部材を用いることなく流路収納部２８２を形成するようにしてもよい。
【０１７０】
以上のような遊技機は、島設備に取り付けられる機枠１１０に対して開放可能に前面枠１２０を設け、該前面枠１２０に対して遊技盤１を着脱可能に装着するようにした遊技機１００であって、前面枠１２０の裏面側には、外部から供給される遊技球を貯留する貯留タンク２２０と、貯留タンク２２０からの遊技球を１個宛排出可能な排出装置２０１と、を備え、排出装置２０１から排出された遊技球を下方側に流下させる遊技球流路（上部遊技球流路２４５、迂回流路２４６、下部遊技球流路２４７）を備えて、該遊技球流路には、当該遊技機１００の左右の一方側に延在して前記遊技盤１の後方領域を迂回する迂回流路２４６を形成している。
【０１７１】
したがって、排出装置２０１から排出された遊技球を下方側に流下させる遊技球流路に、当該遊技機１００の左右の一方側に延在して遊技盤１の後方領域を迂回する迂回流路２４６を形成したので、遊技盤１の後方側のスペースを広く空けることができ、大型の表示装置等を配設するスペースを確実に確保することができる。
【０１７２】
また、迂回流路２４６を、機枠１１０の側辺の長手方向に沿って形成するとともに、前面枠１２０の閉鎖時に、その上流側および下流側の遊技球流路（上部遊技球流路２４５、下部遊技球流路２４７）の各々と連通させるようにしている。
【０１７３】
したがって、迂回流路２４６を、機枠１１０の側辺の長手方向に沿って形成するようにしたので、遊技盤１の後方側を避けるように迂回範囲を大きくすることが可能となり、遊技盤１の後方側に広いスペースを確保することが可能となる。また、上下方向に長い機枠１１０の形状を利用して効率よく遊技球を流下させることが可能となる。
また、前面枠１２０の閉鎖時に、その上流側および下流側の遊技球流路の各々と連通させるようにしたので、遊技球流路を連通させる操作を簡略化できるとともに、確実に遊技球流路を連通させることができる。
【０１７４】
また、機枠１１０は、合成樹脂により形成するとともに、迂回流路２４６を形成する金属製の流路構成部材２６１を備えている。
【０１７５】
したがって、機枠１１０を合成樹脂により形成することにより、簡単に遊技球流路に応じた形状を形成することができる。
また、金属製の流路構成部材２６１を備えることにより、機枠１１０を補強することができるし、この流路構成部材２６１をアースするようにすれば、流下する遊技球からの静電気を効率よく逃がすことができる。
【０１７６】
また、遊技球流路（上部遊技球流路２４５）における迂回流路２４６の上流側で該迂回流路２４６と接続される上流側接続部（連結部材２５０）に、遊技球の流下を阻止可能な流下阻止部材２５３を設け、前面枠１２０の開放動作に応じて、該流下阻止部材２５３を遊技球の流下状態から流下阻止状態に変換するようにしている。
【０１７７】
したがって、遊技球流路における迂回流路２４６の上流側接続部に、前面枠１２０の開放動作に応じて、遊技球の流下状態から流下阻止状態に変換する流下阻止部材２５３を設けたので、前面枠１２０を開放して遊技球流路と迂回流路２４６とが連通しない状態となった場合に、何ら操作することなく遊技球流路からの遊技球の流下を阻止することができ、遊技球流路から遊技球が外部へ落下してしまうことを防止できる。
【０１７８】
また、流下阻止部材２５３が遊技球の流下を阻止する状態になったことを検出する検出手段（流路センサ２５７）と、検出手段からの検出信号に基づき、排出装置２０１を停止させる停止制御手段（遊技制御装置３０、排出発射制御装置３４）と、を備えている。
【０１７９】
したがって、流下阻止部材２５３が遊技球の流下を阻止する状態になったことを検出する検出手段と、検出手段からの検出信号に基づき排出装置を停止させる停止制御手段とを備えたので、確実に遊技球の排出を停止することができる。
すなわち、流下阻止部材２５３が遊技球の流下を阻止する状態である場合に、無駄に排出装置２０１が作動することを防止できる。
また、流下阻止部材２５３が遊技球の流下を阻止する状態である場合は、遊技球流路が連通していない状態であって、意図せずに遊技球の流下阻止状態が解除された場合に、遊技球が外部に排出されてしまうことを防止できる。
さらに、遊技球の流下が阻止状態となっているにも拘わらず、排出装置２０１によって遊技球が排出されることにより、例えば阻止された遊技球が貯まりすぎて、排出装置２０１や流下阻止部材２５３などに何らかの不具合が生じてしまうことを防止できる。
【０１８０】
また、迂回流路は、排出装置２０１および貯留タンク２２０を配設した裏機構枠１６０の左右の一側縁部から外側に突出して形成され、機枠１１０は、前面枠１２０の閉鎖時に迂回流路を収容するための凹部（流路収納部２８２）を形成している。
【０１８１】
したがって、迂回流路は、排出装置２０１および貯留タンク２２０を配設した裏機構枠１６０の左右の一側縁部から外側に突出して形成され、機枠１１０は、前面枠１２０の閉鎖時に迂回流路を収容するための凹部を形成したので、遊技球流路と迂回流路を一体に形成でき、構成を簡略化できる。また、遊技球流路と迂回流路が常に連通した状態とすることができる。さらに、迂回範囲を大きくすることも可能となる。しかも前面枠１２０の閉鎖に対しても支障がない。
【０１８２】
また、機枠１１０の凹部（流路収納部２８２）を金属部材（補強部材２８３）で覆うとともに、迂回流路を導電性部材で構成して、前面枠１２０の閉鎖時に該金属部材と導電性部材を電気的に接続するように構成している。
【０１８３】
したがって、機枠１１０の凹部を金属部材で覆うとともに迂回流路を導電性部材で構成して、前面枠１２０の閉鎖時に該金属部材と導電性部材を電気的に接続するように構成したので、機枠１１０の補強を行うことができるとともに、金属部材をアースすることで遊技球の静電気を除去することも可能となる。
【０１８４】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。また、表示ユニット（液晶表示装置等）が前面枠（本体枠）側に取り付けられる遊技機に限られず、遊技盤の裏面に直接取り付けられる遊技機にも適用可能である。
【０１８５】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８６】
【図１】本発明を適用した実施形態にかかる遊技機の裏面側を示す背面図である。
【図２】裏機構枠を開放した前面枠の裏面側を示す斜視図である。
【図３】裏機構枠と表示枠ユニットの前面側を示す斜視図である。
【図４】前面クリアカバーを取り外した表示枠ユニットの前面側を示す斜視図である。
【図５】（ａ）前面枠を開放した状態における上部遊技球流路と迂回流路の接続部分を示す斜視図である。（ｂ）連結部材の斜視図である。
【図６】連結部材の流下阻止部材の動作を説明するための上部断面図であって、（ａ）迂回流路と連結する前の状態、（ｂ）迂回流路と連結した状態を示す図である。
【図７】流路構成部材と機枠の内側面を示す斜視図である。
【図８】（ａ）前面枠を開放した状態における下部遊技球流路と迂回流路の接続部分を示す斜視図である。（ｂ）下部流下阻止部材の流下阻止状態を示す斜視図である。（ｃ）下部流下阻止部材の流下状態を示す斜視図である。
【図９】遊技機の制御系の一部を示すブロック図である。
【図１０】迂回流路の変形例を示す図であって、機枠と迂回流路を示す斜視図である。
【符号の説明】
【０１８７】
１      遊技盤
３０    遊技制御装置（停止制御手段）
３４    排出発射制御装置（停止制御手段）
１００  遊技機
１１０  機枠
１２０  前面枠
１６０  裏機構枠
２０１  排出装置
２２０  貯留タンク
２４５  上部遊技球流路（遊技球流路）
２４６  迂回流路（遊技球流路）
２４７  下部遊技球流路（遊技球流路）
２５０  連結部材（上流側接続部）
２５３  流下阻止部材
２５７  流路センサ（検出手段）
２６１  流路構成部材
２８０  迂回流路形成部
２８１  接触促進部材
２８２  流路収納部（凹部）
２８３  補強部材（金属部材）
【図１】
2007068647.tif 000003
【図２】
2007068647.tif 000004
【図３】
2007068647.tif 000005
【図４】
2007068647.tif 000006
【図５】
2007068647.tif 000007
【図６】
2007068647.tif 000008
【図７】
2007068647.tif 000009
【図８】
2007068647.tif 000010
【図９】
2007068647.tif 000011
【図１０】
2007068647.tif 000012